(57)【要約】【課題】  電気回路の追加を可能とし、空気調和機の多機能化や高機能化を容易とする。【解決手段】  建屋５０の天井空間５３に懸吊され、室内熱交換器１１及びファンを収容するユニット本体２と、前記ユニット本体２に延設される吹出ダクト４と、前記ユニット本体２に取り付けられる電装箱５とを備えた空気調和機１において、電気回路を収容する別吊ボックス６を前記ユニット本体２と別体に設け、前記建屋５０の天井板５２に開設された点検口５５に面した位置に前記別吊ボックス６を懸吊するとともに、前記別吊ボックス６と前記電装箱５とを配線接続する構成とした。【選択図】      図２
2006153342.tif 000002
【特許請求の範囲】
【請求項１】
建屋の天井空間に懸吊され、熱交換器及びファンを収容するユニット本体と、前記ユニット本体に延設される吹出ダクトと、前記ユニット本体に取り付けられる電装箱とを備えた空気調和機において、
電気回路を収容するボックス体を前記ユニット本体と別体に設け、
前記建屋の天井板に開設された点検口に面した位置に前記ボックス体を懸吊するとともに、前記ボックス体と前記電装箱とを配線接続するようにした、
ことを特徴とする空気調和機。
【請求項２】
前記点検口に面した前記ボックス体の正面側からみて背面側に、前記ボックス体の天面から底面にかけて貫通する貫通穴を設け、この貫通穴に、前記建屋の天井から垂下する吊りボルトを挿通して、この吊りボルトの下端部を前記ボックス体の底面から突出させ、この下端部にナットを螺嵌して前記ボックス体を支持するようにした
ことを特徴とする請求項１に記載の空気調和機。
【請求項３】
前記ボックス体内に、背面と略平行に、前記貫通穴を挟んで仕切り板を設け、この仕切り板の正面側の面上に前記電気回路を配設するようにした
ことを特徴とする請求項２に記載の空気調和機。
【請求項４】
前記ボックス体の底面に、配線を引き出すため、或いは、配線を引き込むための開口を設けたことを特徴とする請求項１乃至３のいずれかに記載の空気調和機。
【発明の詳細な説明】
【技術分野】
【０００１】
本発明は、建屋の天井部に設置される空気調和機に関する。
【背景技術】
【０００２】
一般に、建屋の天井空間に設置され、室内熱交換器およびファンを収容したユニット本体に、吹出ダクトが延設されると共に電装箱が設けられた、いわゆるビルトイン型の空気調和機が知られている。この種の空気調和機では、ユニット本体にて熱交換された空気を、吹出ダクトを介して室内の適宜位置へ導き室内に吹き出すことができるので、室内の美観を損なうことなく最適な空気調和を実現できる（例えば、特許文献１参照）。
【０００３】
ところで、ビルトイン型の空気調和機、特に、ユニット本体に上記吹出ダクトとともに吸込ダクトを延設した、いわゆるダクト仕様ビルトイン型の空気調和機にあっては、上記電装箱がユニット本体を構成する側板のうち、建屋の天井板に開設された点検口に面した側板に設置されるようになっている。また、この側板からはユニット本体内の液管及びガス管からなる冷媒配管が引き出され、室外機の冷媒配管に接続される。したがって、メンテナンス時には、作業者が上記点検口から手を挿入して、電装箱に対するメンテナンスや冷媒配管接続箇所のメンテナンスを実施できるようになっている。
【特許文献１】特開２０００−２４９３６４号公報
【発明の開示】
【発明が解決しようとする課題】
【０００４】
しかしながら、上記のように、電装箱が設置された側板から冷媒配管をも引き出すため、電装箱を大型化すると冷媒配管と干渉してしまう、といった問題がある。したがって、電装箱に収容できる電気回路や基板の数が限られるため、空気調和機の多機能化や高機能化が阻害されてしまうといった弊害が生じる。
【０００５】
本発明は、上述した事情に鑑みてなされたものであり、電気回路の追加を可能にし、空気調和機の多機能化や高機能化を容易に実現することのできる空気調和機を提供することを目的とする。
【課題を解決するための手段】
【０００６】
上記目的を達成するために、本発明は、建屋の天井空間に懸吊され、熱交換器及びファンを収容するユニット本体と、前記ユニット本体に延設される吹出ダクトと、前記ユニット本体に取り付けられる電装箱とを備えた空気調和機において、電気回路を収容するボックス体を前記ユニット本体と別体に設け、前記建屋の天井板に開設された点検口に面した位置に前記ボックス体を懸吊するとともに、前記ボックス体と前記電装箱とを配線接続するようにした、ことを特徴とする。
【０００７】
また本発明は、上記発明において、前記点検口に面した前記ボックス体の正面側からみて背面側に、前記ボックス体の天面から底面にかけて貫通する貫通穴を設け、この貫通穴に、前記建屋の天井から垂下する吊りボルトを挿通して、この吊りボルトの下端部を前記ボックス体の底面から突出させ、この下端部にナットを螺嵌して前記ボックス体を支持するようにしたことを特徴とする。
【０００８】
また本発明は、上記発明において、前記ボックス体内に、背面と略平行に、前記貫通穴を挟んで仕切り板を設け、この仕切り板の正面側の面上に前記電気回路を配設するようにしたことを特徴とする。
【０００９】
また本発明は、上記発明において、前記ボックス体の底面に、配線を引き出すため、或いは、配線を引き込むための開口を設けたことを特徴とする。
【発明の効果】
【００１０】
本発明によれば、電気回路の追加を可能にし、空気調和機の多機能化や高機能化が容易となる。
【発明を実施するための最良の形態】
【００１１】
以下、図面を参照して本発明の実施の形態を詳述する。図１は本発明の実施の形態に係るダクト仕様ビルトイン型の空気調和機１の構成を示す側面図であり、図２は同空気調和機１の平面図である。これらの図に示すように、空気調和機１は、ユニット本体２、吸込ダクト３、吹出ダクト４、電装ボックス５及び別吊ボックス６を有し、建屋５０の天井５１と、天井板５２との間の天井空間５３内に配設される。
【００１２】
ユニット本体２は、互いに対向配置され四角枠形状に設けられた４枚の側板７の上縁部に天板８が、下縁部に底板９がそれぞれ固定されて箱型に構成され、これらの側板７、天板８及び底板９の内外表面には断熱材が貼着されている。ユニット本体２の側板７には吊り金具１０が固着され、この吊り金具１０が、建屋５０の天井５１から垂下された吊りボルト５４に止着されて、ユニット本体２が建屋５０の天井５１に懸吊される。このとき、ユニット本体２は、天井板５２との間に、ユニット本体２内からドレンパンを引き出すのに十分なスペースが確保される高さに懸吊される。
【００１３】
ユニット本体２の内部には、室内熱交換器１１、図示せぬファン及びファンモータが収容される。図２に示すように、ユニット本体２の側板７のうち、天井板５２に開設された点検口５５に面する側板７Ａからは、室内熱交換器１１に接続された液管１２及びガス管１３からなる冷媒配管１４の端部が引き出され、この冷媒配管１４の端部に、図示しない室外機の冷媒配管が接続される。また、この側板７Ａには、ドレン配管が接続されるドレン配管接続口１７が冷媒配管１４と併設される。なお、図２中、符号５６は建屋５０の壁である。
【００１４】
上記吹出ダクト４は、通常、複数本がユニット本体２から延設されている。それぞれの吹出ダクト４は、ユニット本体２の１つの側板７、より具体的には、冷媒配管１４が引き出された側板７Ａに直交する２枚の側板７Ｂ、７Ｃの一方（本実施の形態では側板７Ｂ）に一体に設置された吹出口１５に一端が嵌装されるとともに、他端には図示せぬ吹出グリルが取り付けられ、この吹出グリルが天井板５２の適宜位置に設置される。また、吹出口１５が設置された側板７Ｂに対向する側板（いわゆる背面板）７Ｃには、図示しない吸込開口が形成され、この側板７Ｃに、例えばフィルタボックス１６を介して、通常一本の吸込ダクト３が連接される。吸込ダクト３の一端部には図示せぬ吸込グリルが嵌装され、この吸込グリルが天井板５２の適宜位置に設置される。
【００１５】
以上の構成の下、ファンモータによりファンが回転駆動されると、吸込グリルから室内空気が取り込まれて吸込ダクト３を経てユニット本体２内へ吸い込まれる。この空気が室内熱交換器１１により冷却又は暖房され、吹出ダクト４を経て吹出グリルから室内へ調和空気が吹出される。
【００１６】
上記電装箱５は、図２に示すように、点検口５５に面し、上記冷媒配管１４及びドレン配管接続口１７が設けられた側板７Ａに取り付けられる。この電装箱５は、略直方体形状に形成され、その内部に、制御基板や端子板（共に図示せず）などが収容される。これらの制御基板や端子板には、ユニット本体２内に設置されたファンモータやドレンポンプ、フロートスイッチ、電子制御弁、各種センサなどからの配線が接続され、また、電源配線や、ユニット間配線、リモコン配線などの外部配線が端子板に接続される。
【００１７】
ところで、本空気調和機１を建屋５０の天井空間５３に多数配置し、例えば集中管理室などから各空気調和機１の運転や空調設定などを遠隔操作可能に構成する場合、遠隔制御用の電気回路を空気調和機１の電装箱５に設ける必要がある。しかしながら、遠隔制御用の電気回路を電装箱５に収容可能とすべく、この電装箱５を大型に構成すると、冷媒配管１４やドレン配管接続口１７と干渉し、電装箱５の取り付けや、電装箱５、冷媒配管１４及びドレン配管接続口１７の側板７Ａ上での配置レイアウトが複雑になる。そこで、本実施の形態では、空気調和機１の多機能化や高機能化に伴い追加すべき電気回路を電装箱５と別体に設けた上記別吊ボックス６に収容する構成としている。
【００１８】
図３は別吊ボックス６の正面側を示す模式的に示す斜視図であり、図４は別吊ボックス６の背面側を示す模式的に示す斜視図である。また、図５は別吊ボックス６の縦断面、右側面及び横断面を示す三面図である。これらの図に示すように、別吊ボックス６は、互いに対向配置され四角枠形状に設けられた４枚の側板６０の上縁部に天面を形成する天板６１が、下縁部に底面を形成する底板６２がそれぞれ固定され略直方体形状の箱型に形成され、前掲図２に示すように、点検口５５に面した位置に懸吊されて配置される。
【００１９】
４枚の側板６０のうち、正面側、すなわち、点検口５５に面する側の側板６０Ａがビス止めされて着脱自在に構成され、また、底板６２には、通信線や電気線などの配線８０を引き出し、或いは、引き込みのための開口６２Ａが２箇所形成され、それぞれの開口６２Ａには底蓋６３がビス止めされて塞がれている。したがって、当該別吊ボックス６の設置時には、作業者は底蓋６３を取り外して開口６２Ａから内部の電気回路に配線８０を取り付け、或いは、開口６２Ａから配線８０を引き出して、この配線８０を空気調和機１のユニット本体２に設けられた電装箱５の電気回路と接続する。また、別吊ボックス６のメンテナンス時には、作業者は点検口５５から手を挿入して、当該側板６０Ａを取り外して、内部に収容された電気回路に対してメンテナンスを実施する。
【００２０】
上記側板６０Ａと対向する背面側の側板６０Ｂ（背面板）には、横幅方向の略真中に、天板６１から底板６２にかけて貫通する、別吊ボックス６を懸吊するための貫通穴６４が設けられている。具体的には、図５に示すように、背面側の側板６０Ｂが、天板６１から底板６２にかけて延びる横断面コ字状に形成された溝用フレーム６５と、この溝用フレーム６５の左右両側にそれぞれ連接され、側板６０Ｂの平面部を形成する平板６６Ａ、６６Ｂと、溝用フレーム６５の開口溝を覆う覆板６７とにより構成され、また、天板６１及び底板６２のそれぞれには、上記溝用フレーム６５の開口溝の上下端に対応する位置に切欠き６１Ａ及び６２Ａ（図３参照）が形成されており、これらにより、上記貫通穴６４が形成される。
【００２１】
この貫通穴６４には、図４に示すように、天井５１から垂下された吊りボルト５７が挿通されて、その下端部５７Ａが底板６２側から引き出され、この下端部５７Ａに支持用ナット５７を螺嵌することで、別吊ボックス６が吊りボルト５７に支持され、建屋５０の天井空間５３に懸吊される。上記のように、貫通穴６４が上下方向に延びる開口溝を有する溝用フレーム６５により構成し、貫通穴６４に挿通された吊りボルト５７の周面が、その軸方向に亘って溝用フレーム６５の開口溝の側壁と接触する構成とし、溝用フレーム６５の開口溝の側壁全体で吊りボルト５７に加わる力を受けるようにしているため、吊りボルト５７の一定の箇所（例えば、貫通穴６４の上下の開口端など）に力が集中して加わることがない。
【００２２】
別吊ボックス６の内部に、図５に示すように、背面側の側板６０Ｂと略平行に、上記吊りボルト５７が挿通される貫通穴６４（溝用フレーム６５）を挟んで仕切り板６７を設け、この仕切り板６７の正面側の面上に、遠隔制御用の制御回路７０や各種端子板７１などの電気回路が配設される。このように、電気回路を吊りボルト５７の近傍に配置する構成とすることで、電気回路の重量が吊りボルト５７に与える力が過度に大きくなるのを抑えられる。
【００２３】
また、本実施の形態では、制御回路７０などと共に、本空気調和機１の運転制御を操作するための操作コントローラ７２が設けられており、別吊ボックス６に対するメンテナンス時には、この操作コントローラ７２を用いて空気調和機１の操作を実施することが可能となっている。
【００２４】
以上説明したように、本実施の形態によれば、電気回路を収容する別吊ボックス６をユニット本体２と別体に設け、建屋５０の天井板５２に開設された点検口５５に面した位置に別吊ボックス６を懸吊するとともに、別吊ボックス６と電装箱５とを配線８０により接続する構成としたため、電装箱５を大型化させずとも、空気調和機に機能を追加するための電気回路を別吊ボックスに収容すれば、本空気調和機の多機能化、高機能化を容易に実現することが可能となる。
さらに、別吊ボックス６を点検口５５に面して配置する構成としているため、別吊ボックス６に対するメンテナンス作業などが容易となる。
【００２５】
また、本実施の形態によれば、別吊ボックス６を略直方形状と箱型に形成するとともに、点検口５５に面した正面側からみて背面側に、別吊ボックス６の天板６１から底板６２にかけて貫通する貫通穴６４を設け、この貫通穴６４に、建屋５０の天井５１から垂下する吊りボルト５７を挿通して、この吊りボルト５７の下端部を別吊ボックス６の底板６２から突出させ、この下端部に支持用ナット５８を螺嵌して、別吊ボックス６を支持する構成としたため、吊りボルト５７の貫通穴６４への挿通作業、及び、吊りボルト５７の下端部への支持用ナット５８の取り付け作業だけで簡単に別吊ボックス６を取り付け、或いは、取り外しができる。しかも、別吊ボックス６の底板６２側、すなわち、下方側で支持用ナット５８を取り付ける構成としたため、点検口５５からの作業が容易となる。
さらに、支持用ナット５８の高さ位置を変更するだけで、別吊ボックス６の取り付け高さを簡単に調整することができる。
また、吊りボルト５７を天板６１から底板６２にかけて別吊ボックス６を貫通して、当該別吊ボックス６を支持するため、当該別吊りボックス６が傾倒することなく、支持することができる。
【００２６】
また、本実施の形態によれば、別吊ボックス６の内部に、背面側の側板６０Ｂと略平行に、上記吊りボルト５７が挿通される貫通穴６４を挟んで仕切り板６７を設け、この仕切り板６７の正面側の面上に、遠隔制御用の制御回路７０や各種端子板７１などの電気回路を設ける構成とし、電気回路を吊りボルト５７の近傍に配置したため、これら電気回路の重量が吊りボルト５７に加える力が過度に大きくなるのを抑えることができる。
【００２７】
また、本実施の形態によれば、別吊ボックス６の底板６２に、配線８０を引き出すため、或いは、配線８０を引き込むための開口６２Ａを設けたため、作業者が点検口５５から手を挿入し、別吊ボックス６からの配線８０の引き出し、或いは、引き込むといった作業を容易に行うことができる。
【００２８】
なお、上述した実施の形態は、あくまでも本発明の一態様を示すものであり、本発明の範囲内で任意に変形可能である。例えば、上述した実施の形態では、別吊ボックス６を略直方体形状に構成したが、これに限らず、略立方体形状に構成しても良い。
【００２９】
また、１本の吊りボルト５７で別吊ボックス６を支持する構成としたが、これに限らず、貫通穴６４を別吊ボックス６の幅方向に複数設け、それぞれの貫通穴６４に吊りボルト５７を挿通し、これら複数本の吊りボルト５７で別吊ボックス６を支持する構成としても良い。
【図面の簡単な説明】
【００３０】
【図１】本発明の実施の形態にかかる空気調和機の側面図である。
【図２】同空気調和機の平面図である。
【図３】別吊ボックスの正面側を示す斜視図である。
【図４】別吊ボックスの背面側を示す斜視図である。
【図５】別吊ボックスの縦断面、横断面及び右側面を示す三面図である。
【符号の説明】
【００３１】
１  空気調和機
２  ユニット本体
５  電装箱
４  吹出ダクト
６  別吊ボックス（ボックス体）
１１  室内熱交換器
５０  建屋
５５  点検口
５７  吊りボルト
５８  支持用ナット
６４  貫通穴
６５  溝用フレーム
８０  配線
【図１】
2006153342.tif 000003
【図２】
2006153342.tif 000004
【図３】
2006153342.tif 000005
【図４】
2006153342.tif 000006
【図５】
2006153342.tif 000007